(57)【要約】【課題】電動鋸で切断するときでも電動鋸を確実にガイドして正確に軒樋を切断できる軒樋の切断治具を提供する。【解決手段】軒樋１の長手方向と直交する幅方向に亙って軒樋１の外周に被嵌し得る切断治具本体２の周方向の端部に軒樋１の幅方向の両端の耳部５に嵌合し得る耳嵌合部３を設ける。軒樋１の長手方向と平行な方向である切断治具本体２の幅方向の両側のうち一方の側部にガイド溝４を切断治具本体２の周方向に設ける。電動鋸９のベース板１０に装着した被ガイド部材１３の被ガイド片１４をガイド溝４に挿入してガイド溝４に沿って摺動させ得るようにする。【選択図】        図１
2004291361.tif 000002
【特許請求の範囲】
【請求項１】
軒樋の長手方向と直交する幅方向に亙って軒樋の外周に被嵌し得る切断治具本体の周方向の端部に軒樋の幅方向の両端の耳部に嵌合し得る耳嵌合部を設け、軒樋の長手方向と平行な方向である切断治具本体の幅方向の両側のうち一方の側部にガイド溝を切断治具本体の周方向に設け、電動鋸のベース板に装着した被ガイド部材の被ガイド片をガイド溝に挿入してガイド溝に沿って摺動させ得るようにしたことを特徴とする軒樋の切断治具。
【請求項２】
横片と縦片とからなる断面略逆Ｌ字状のガイド部を切断治具本体の幅方向の一方の側部に切断治具本体の周方向に設けて切断治具本体とガイド部との間にガイド溝を設けたことを特徴とする請求項１記載の軒樋の切断治具。
【請求項３】
電動鋸の被ガイド部材に設けた凸条を摺動自在に沿わせ得る凹条を切断治具本体の外面に周方向に凹設したことを特徴とする請求項２記載の軒樋の切断治具。
【請求項４】
電動鋸の被ガイド片の先端から突設した被係止突片に係止し得る係止突片をガイド部の横片から切断治具本体の外面に向けてガイド部の周方向に亙るように突設したことを特徴とする請求項２または請求項３記載の軒樋の切断治具。
【発明の詳細な説明】
【０００１】
【発明の属する技術分野】
本発明は、軒樋を所定の寸法に電動鋸で切断するときに用いる軒樋の切断治具の構造に関するものである。
【０００２】
【従来の技術】
従来、この種の軒樋の切断治具は軒樋の長手方向と直交する幅方向に亙って軒樋の外周または内周に沿って被嵌し得る切断治具本体の周方向の端部に軒樋の幅方向の両端の耳部に嵌合し得る耳嵌合部を設け、軒樋の長手方向と平行な方向である切断治具本体の幅方向の両側のうち一方の側端縁に工具をガイドするガイド面を設けて形成してある（例えば、特許文献１参照）。この切断治具は軒樋の切断する位置で軒樋の外周または内周に沿わせると共に耳嵌合部を軒樋の耳部に嵌合して軒樋の取り付け、切断治具のガイド面に沿わせて鋸で切断することで軒樋を切断するようになっている。
【０００３】
切断治具Ａ′を軒樋１の外面に被せて切断する場合、図７に示すようにおこなている。切断治具Ａ′は図７（ａ）に示すように軒樋１の外面に沿う切断治具本体２′の周方向の両端に耳嵌合部３′を設けてあり、切断治具本体２′の一方の側端縁に沿ってガイド面４′を設けてある。この切断治具Ａは図７（ａ）に示すように切断治具本体２′が軒樋１の外面に沿うように被せられると共に耳嵌合部３′が軒樋１の耳部５に嵌合して軒樋１に取り付けられ、図７（ｂ）に示すように軒樋１の切断する位置にガイド面４′を沿わせて罫書き具６にガイド面４′に沿って罫書き線７が入られ、図７（ｃ）に示すように金きり鋸のような手動鋸８をガイド面４′にてガイドして切断することで罫書き線７に沿って切断されるようになっている。
【０００４】
手動鋸８に替えて電動鋸９で切断する場合、図７（ｂ）のように罫書き線７を入れた後、図８（ａ）のようにガイド代の寸法ｘだけ切断治具Ａ′を軒樋１に対してスライドさせられ、図８（ｂ）に示すように電動鋸９のベース板１０の側端縁をガイド面４′に沿わせると共に電動鋸９の回転刃１１を罫書き線７に沿わせて回転刃１１にて軒樋１を切断していた。
【０００５】
【特許文献１】
実開昭６２−１７３４３２号公報
【０００６】
【発明が解決しようとする課題】
ところで、手動鋸８で切断するより電動鋸９で切断する方が労力を要せず、且つ速く切断することができるのであるが、電動鋸９は回転刃１１を動力で回転駆動して切断するものであるため、回転刃１１を軒樋１に当てて罫書き線７に沿って切断するとき、電動鋸９のベース板１０の側端縁をガイド面４′に沿って沿わせるだけでは電動鋸９が上下左右に振動して切断位置がずれやすく、罫書き線７に沿って正確に切断できないおそれがある。
【０００７】
本発明は上記の点に鑑みてなされたものであり、電動鋸で切断するときでも電動鋸を確実にガイドして正確に軒樋を切断できる軒樋の切断治具を提供することを課題とするものである。
【０００８】
【課題を解決するための手段】
上記課題を解決するための本発明の軒樋の切断治具Ａは、軒樋１の長手方向と直交する幅方向に亙って軒樋１の外周に被嵌し得る切断治具本体２の周方向の端部に軒樋１の幅方向の両端の耳部５に嵌合し得る耳嵌合部３を設け、軒樋１の長手方向と平行な方向である切断治具本体２の幅方向の両側のうち一方の側部にガイド溝４を切断治具本体２の周方向に設け、電動鋸９のベース板１０に装着した被ガイド部材１３の被ガイド片１４をガイド溝４に挿入してガイド溝４に沿って摺動させ得るようにしたことを特徴とする。切断治具Ａの切断治具本体２を軒樋１の外面に沿わせると共に耳嵌合部３を軒樋１の耳部５に嵌合して切断治具Ａを軒樋１にセットし、電動鋸９の被ガイド部材１３の被ガイド片１４をガイド溝４に挿入し、ガイド溝４に挿入した被ガイド片１４をガイド溝４に沿って摺動させることにより電動鋸９で切断できる。このようにガイド溝４に挿入した被ガイド片１４をガイド溝４に沿って摺動させることにより電動鋸９が振動しないようにガイドして切断でき、軒樋１を所定の切断位置で正確に切断することができる。
【０００９】
また横片１５ａと縦片１５ｂとからなる断面略逆Ｌ字状のガイド部１５を切断治具本体２の幅方向の一方の側部に切断治具本体２の周方向に設けて切断治具本体２とガイド部１５との間にガイド溝４を設けたことを特徴とすることも好ましい。ガイド溝４に被ガイド片１４を挿入して被ガイド片１４を摺動させるとき、横片１５ａにて上下に振動しないように規制できると共に縦片１５ｂにて左右に振動しないように規制でき、電動鋸９が上下左右に振動するのを確実に規制して電動鋸９で一層正確に切断できる。
【００１０】
また電動鋸９の被ガイド部材１３に設けた凸条１６を摺動自在に沿わせ得る凹条１７を切断治具本体２の外面に周方向に凹設したことを特徴とすることも好ましい。被ガイド片１４をガイド溝４に沿わせて摺動させるとき、切断治具本体２の凹条１７に沿って被ガイド部材１３の凸条１６も沿って摺動するものであって、電動鋸９が一層左右に振動しないように規制でき、電動鋸９で一層正確に切断できる。
【００１１】
また電動鋸９の被ガイド片１４の先端から突設した被係止突片２０に係止し得る係止突片２１をガイド部１５の横片１５ａから切断治具本体２の外面に向けてガイド部１５の周方向に亙るように突設したことを特徴とすることも好ましい。被ガイド片１４をガイド溝４に沿わせて摺動させるとき、係止突片２１に被係止突片２０を係止させた状態で摺動させることができ、ガイド部１５の縦片１５ｂによる左右方向の規制に加えて係止突片２１への被係止突片２０の係止にても左右方向に振動するのを規制でき、電動鋸９で一層正確に切断できる。
【００１２】
【発明の実施の形態】
軒樋１は本例の場合、角型であり、図１に示すように前壁１ａと底壁１ｂと後壁１ｃとを有し、前壁１ａと底壁１ｂとの間に凹曲部１ｄを有しており、前壁１ａの端部及び後壁１ｃの端部に長手方向に亙って耳部５を有している。
【００１３】
軒樋の切断治具Ａの切断治具本体２は帯板状であって、図２に示すように軒樋１の外面に沿う形状にしてあり、前壁部２ａと底壁部２ｂと後壁部２ｃとを有し、前壁部２ａと底壁部２ｂとの間に凹曲部２ｄを有している。前壁部２ａ及び後壁部２ｃの端部に耳部５に嵌合し得る耳嵌合部３を有している。切断治具本体２の前後方向と平行な両側の側部のうち一方の側部には周方向の略全長に亙るようにガイド部１５を設けてある。このガイド部１５は横片１５ａと縦片１５ｂで断面略逆Ｌ字状に形成されており、このガイド部１５と切断治具本体２の外面との間にガイド溝４が形成されている。また切断治具本体２の外面には凹条１７が周方向の略全長に亙るように設けられている。
【００１４】
電動鋸９は図４に示すように電動鋸本体９ａにモータや充電池等を設けてあり、電動で回転駆動される回転刃１１を有している。また電動鋸本体９ａには矩形の平板状のベース板１０を設けてあり、ベース板１０に設けたスリット１２に回転刃１１を挿通してある。ベース板１０の周縁には立ち上がり縁２３を設けてあるが、電動鋸９で切断するとき前となる前方の位置に両側の立ち上がり縁２３には挿通穴２４を穿孔してあり、両側の挿通穴２４間の部分の突片２６に取り付けねじ具２５を螺合してある。
【００１５】
電動鋸９で切断するときに電動鋸９のベース板１０に取り付ける被ガイド部材１３は図５に示すように構成されている。左右方向に細長い取り付け板１３ａの一端から下面側に折り返すように取り付け板１３ａと平行に中間板１３ｂを一体に設けてあり、取り付け板１３ａの長手方向の中間の位置で中間板１３ｂを下方に凸曲させるように曲げて凸曲部１３ｃを設けてあり、凸曲部１３ｃの下面に摺接板１３ｄを一体に装着してある。摺接板１３ｄの長手方向の一端は凸曲部１３ｃより突出させてあり、この突出した部分を被ガイド片１４としてある。また摺接板１３ｄの下面には長手方向と直交する方向に亙って凸条１６を設けてある。この被ガイド部材１３を電動鋸９に取り付ける場合、図４（ａ）に示すように被ガイド部材１３の取り付け板１３ａがベース板１０の両側の挿通穴２４に挿通されてベース板１０が取り付け板１３ａと中間板１３ｂで挟まれ、図４（ｂ）に示すように取り付けねじ具２５を締め付けることで取り付け板１３ａが押さえられる。
【００１６】
しかして、軒樋１を切断する場合、次のように行う。裏返しにした軒樋１の切断する位置の近傍に切断治具Ａを配置し、切断治具本体２を軒樋１の外面に沿わせるように被せ、耳嵌合部３を軒樋１の耳部５に嵌合して軒樋１に切断治具Ａを取り付ける。切断治具Ａを取り付けた状態で切断治具本体２のガイド部１５と反対の側縁を切断位置に合わせる。このとき切断治具本体２の側縁に沿って罫書き線を入れてもよい。次いで電動鋸９の回転刃１１を回転駆動して軒樋１を切断するのであるが、このとき、被ガイド部材１３の被ガイド片１４を図３に示すようにガイド溝４に挿入すると共に被ガイド部材１３の凸条１６を切断治具本体２の凹条１７に嵌め、ガイド溝４に対して被ガイド片１４を、凹条１７に対して凸条１６を摺動させながら電動鋸９を移動させて回転刃１１にて軒樋１を軒樋１の幅方向全長に亙って切断する。このとき被ガイド片１４の先端を縦片１５ｂに摺接させて移動させることにより、回転刃１１を切断治具本体２のガイド部１５と反対の側縁に沿わせて切断することができる。また被ガイド片１４をガイド溝４に対して摺動させるとき、ガイド部１５の横片１５ａにて規制されて電動鋸９が上下に振動するのが防止され、縦片１５ｂにて規制されて電動鋸９が左右に振動するのが防止され、所定の切断位置で正確に切断できる。また被ガイド片１４の先端がガイド部１５の縦片１５ｂで左右方向に規制されると共に凹条１７と凸条１６の嵌合にて左右方向に規制され、電動鋸９が左右に振動するのが防止され、所定の切断位置で正確に切断することができる。
【００１７】
また図６は他の例を示すものある。本例も上記例と基本的に同じであり、異なる点だけを主に述べる。本例の場合、ガイド部１５の横片１５ａの先端から切断治具本体２の外面に向けて突出する係止突片２１を突設してある。また被ガイド部材１３の被ガイド片１４の先端には上方に突出するように被係止突片２０を設けてある。
【００１８】
切断治具Ａを軒樋１に取り付けた状態で、電動鋸９の回転刃１１を回転駆動して軒樋１を切断するのであるが、このとき、被ガイド部材１３の被ガイド片１４を図６に示すようにガイド溝４に挿入すると共に被ガイド部材１３の凸条１６を切断治具本体２の凹条１７に嵌め、さらに被ガイド部材１３の被係止突片２０を係止突片２１に係止し、ガイド溝４に対して被ガイド片１４を、凹条１７に対して凸条１６を、係止突片２１に対して被係止突片２０を摺動させながら電動鋸９を移動させて回転刃１１にて軒樋１を軒樋１の幅方向全長に亙って切断する。この場合、係止突片２１に対して被係止突片２０が係止するためにさらに左右方向に規制され、一層電動鋸９が左右に振動するのが防止され、所定の切断位置で正確に切断することができる。
【００１９】
【発明の効果】
本発明の請求項１の発明は、軒樋の長手方向と直交する幅方向に亙って軒樋の外周に被嵌し得る切断治具本体の周方向の端部に軒樋の幅方向の両端の耳部に嵌合し得る耳嵌合部を設け、軒樋の長手方向と平行な方向である切断治具本体の幅方向の両側のうち一方の側部にガイド溝を切断治具本体の周方向に設け、電動鋸のベース板に装着した被ガイド部材の被ガイド片をガイド溝に挿入してガイド溝に沿って摺動させ得るようにしたので、切断治具の切断治具本体を軒樋の外面に沿わせると共に耳嵌合部を軒樋の耳部に嵌合して切断治具を軒樋にセットし、電動鋸の被ガイド部材の被ガイド片をガイド溝に挿入し、ガイド溝に挿入した被ガイド片をガイド溝に沿って摺動させることにより電動鋸で切断できるものであって、ガイド溝に挿入した被ガイド片をガイド溝に沿って摺動させることにより電動鋸が振動しないようにガイドして切断でき、軒樋を所定の切断位置で正確に切断することができるものである。
【００２０】
また本発明の請求項２の発明は、請求項１において、横片と縦片とからなる断面略逆Ｌ字状のガイド部を切断治具本体の幅方向の一方の側部に切断治具本体の周方向に設けて切断治具本体とガイド部との間にガイド溝を設けたので、ガイド溝に被ガイド片を挿入して被ガイド片を摺動させるとき、横片にて上下に振動しないように規制できると共に縦片にて左右に振動しないように規制でき、電動鋸が上下左右に振動するのを確実に規制して電動鋸で一層正確に切断できるものである。
【００２１】
また本発明の請求項３の発明は、請求項２において、電動鋸の被ガイド部材に設けた凸条を摺動自在に沿わせ得る凹条を切断治具本体の外面に周方向に凹設したので、被ガイド片をガイド溝に沿わせて摺動させるとき、切断治具本体の凹条に沿って被ガイド部材の凸条も沿って摺動するものであって、電動鋸が一層左右に振動しないように規制でき、電動鋸で一層正確に切断できるものである。
【００２２】
また本発明の請求項４の発明は、請求項２または請求項３において、電動鋸の被ガイド片の先端から突設した被係止突片に係止し得る係止突片をガイド部の横片から切断治具本体の外面に向けてガイド部の周方向に亙るように突設したので、被ガイド片をガイド溝に沿わせて摺動させるとき、係止突片に被係止突片を係止させた状態で摺動させることができ、ガイド部の縦片による左右方向の規制に加えて係止突片への被係止突片の係止にても左右方向に振動するのを規制でき、電動鋸で一層正確に切断できるものである。
【図面の簡単な説明】
【図１】本発明の実施の形態の一例の軒樋に切断治具を取り付けた状態の斜視図である。
【図２】同上の切断治具を示し、（ａ）は斜視図、（ｂ）は端面図である。
【図３】同上の切断治具に電動鋸を沿わせて切断している状態を示す一部省略断面図である。
【図４】同上の電動鋸に被ガイド部材を装着する状態を示し、（ａ）は装着前の斜視図、（ｂ）は装着している状態の斜視図である。
【図５】同上の被ガイド部材を示し、（ａ）（ｂ）は異なる方向から見た斜視図である。
【図６】同上の他の例の切断治具に電動鋸を沿わせて切断している状態を示す一部省略断面図である。
【図７】（ａ）（ｂ）（ｃ）は従来例の切断治具を用いて切断する手順を示す斜視図である。
【図８】（ａ）（ｂ）は従来例の切断治具を用いて切断する他の手順を示す斜視図である。
【符号の説明】
Ａ  切断治具
１  軒樋
２  切断治具本体
３  耳嵌合部
４  ガイド溝
５  耳部
９  電動鋸
１０  ベース板
１３  被ガイド部材
１４  被ガイド片
１５  ガイド部
１５ａ  横片
１５ｂ  縦片
１６  凸条
１７  凹条
２０  被係止突片
２１  係止突片
【図１】
2004291361.tif 000003
【図２】
2004291361.tif 000004
【図３】
2004291361.tif 000005
【図４】
2004291361.tif 000006
【図５】
2004291361.tif 000007
【図６】
2004291361.tif 000008
【図７】
2004291361.tif 000009
【図８】
2004291361.tif 000010